【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
管理対象である複数の対象機器の対象機器別に、当該対象機器のパラメータを識別するパラメータ識別子 を含んだデータとしてプロファイルを、当該対象機器を識別する機器
識別子と対応付けて記憶するプロファイル記憶部と、
前記複数の対象機器に共通な汎用画面のデータであってパラメータに設定する設定値を指定するための汎用画面のデータとして汎用画面データを記憶する汎用画面データ記憶部と、
前記複数の対象機器のうち特定の対象機器のパラメータに設定する設定値を指定するための専用画面のデータとして専用画面データ を、前記特定の対象機器を識別する機器識
別子と対応付けて記憶する専用画面データ記憶部と、
前記複数の対象機器のうちいずれかの対象機器を識別する機器指定識別子が入力される機器指定部と、
前記機器指定部に入力された機器指定識別子と同じ機器識別子に対応付けられた専用画面データが前記専用画面データ記憶部に記憶されているか否かを判定し、当該専用画面データが前記専用画面データ記憶部に記憶されている場合、当該専用画面データに基づく当該専用画面と前記汎用画面データ記憶部に記憶された汎用画面データに基づく前記汎用画面との少なくともいずれかの画面を表示し、当該専用画面データが前記専用画面データ記憶部に記憶されていない場合、前記汎用画面データ記憶部に記憶された汎用画面データに基づく前記汎用画面を表示する画面表示部と、
前記汎用画面でパラメータ識別子に対応付けて指定される設定値と前記専用画面でパラメータ識別子に対応付けて指定される設定値とのいずれかの設定値を送信することによって、当該設定値を前記対象機器の当該パラメータに設定するパラメータ設定部とを備え、
前記画面表示部は、前記専用画面でパラメータ識別子に対応付けて設定値が指定された場合、指定された前記設定値と前記設定値に対応付けられた前記パラメータ識別子とを対応付けて前記汎用画面を表示する
ことを特徴とする機器管理装置。
【請求項２】
前記汎用画面は、パラメータに設定する設定値を指定するための汎用インタフェースを有し、
前記専用画面は、前記汎用インタフェースとは異なる専用インタフェースを有する
ことを特徴とする請求項１記載の機器管理装置。
【請求項３】
前記画面表示部は、
当該専用画面データが前記専用画面データ記憶部に記憶されている場合、前記汎用画面データに基づいて、当該専用画面の表示を要求するための専用画面要求インタフェースを含めて前記汎用画面を表示し、
表示した前記汎用画面の前記専用画面要求インタフェースによって当該専用画面の表示が要求された場合、当該専用画面データに基づいて当該専用画面を表示する
ことを特徴とする請求項２記載の機器管理装置。
【請求項４】
前記画面表示部は、
当該専用画面から前記汎用画面に表示を戻すことを要求するための汎用画面要求インタフェースを含めて当該専用画面を表示し、
当該専用画面の前記専用インタフェースによって設定値が指定されて当該専用画面の前記汎用画面要求インタフェースによって前記汎用画面に表示を戻すことを要求された場合、前記専用画面の前記専用インタフェースによって指定された設定値を前記汎用画面の前記汎用インタフェースに指定して前記汎用画面を表示する
ことを特徴とする請求項３記載の機器管理装置。
【請求項５】
前記画面表示部は、当該専用画面データが前記専用画面データ記憶部に記憶されている場合、前記汎用画面と前記専用画面とのうち表示する画面を選択するための選択画面を表示し、前記選択画面で選択された画面を表示することを特徴とする請求項１から請求項４いずれかに記載の機器管理装置。
【請求項６】
前記複数の対象機器それぞれのプロファイルは当該対象機器の機器種別を含み、
前記専用画面データ記憶部は、前記機器識別子の代わりに機器種別に対応付けて前記専用画面データを記憶し、
前記画面表示部は、前記機器指定識別子と同じ機器識別子に対応付けられたプロファイルから機器種別を取得し、取得した機器種別に対応付けられた専用画面データに基づいて当該専用画面を表示する
ことを特徴とする請求項１から請求項５いずれかに記載の機器管理装置。
【請求項７】
前記機器管理装置は、さらに、
管理対象である複数の対象機器それぞれの出力値を表示するための汎用モニタ画面の汎用モニタ画面データを記憶する汎用モニタ画面データ記憶部と、
前記複数の対象機器のうち前記特定の対象機器の出力値を表示するための専用モニタ画面の専用モニタ画面データを記憶すると共に、前記専用モニタ画面データに対応付けて前記特定の対象機器の前記機器識別子を記憶する専用モニタ画面データ記憶部と、
前記複数の対象機器のいずれかの対象機器から出力される出力値と出力機器識別子とを取得する出力値取得部とを備え、
前記画面表示部は、
前記出力値取得部によって取得された出力機器識別子と同じ機器識別子に対応付けられた専用モニタ画面データが前記専用モニタ画面データ記憶部に記憶されているか否かを判定し、
当該専用モニタ画面データが前記専用モニタ画面データ記憶部に記憶されている場合、前記汎用モニタ画面データに基づく前記汎用モニタ画面と当該専用モニタ画面データに基づく当該専用モニタ画面との少なくともいずれかの画面を表示すると共に表示した画面に前記出力値取得部によって取得された出力値を示し、
当該専用モニタ画面データが前記専用モニタ画面データ記憶部に記憶されていない場合、前記汎用モニタ画面データに基づく前記汎用モニタ画面を表示すると共に前記汎用モニタ画面に前記出力値取得部によって取得された出力値を示す
ことを特徴とする請求項１から請求項６いずれかに記載の機器管理装置。
【請求項８】
前記汎用モニタ画面は、出力値を表す数値を示すための出力値表示欄を有し、
前記専用モニタ画面は、出力値を表すグラフを示すための出力値グラフ欄を有する
ことを特徴とする請求項７記載の機器管理装置。
【請求項９】
前記画面表示部は、
当該専用モニタ画面データが前記専用モニタ画面データ記憶部に記憶されている場合、当該専用モニタ画面の表示を要求するための専用モニタ画面要求インタフェースを含めて前記汎用モニタ画面を前記汎用モニタ画面データに基づいて表示し、
表示した前記汎用モニタ画面の前記専用モニタ画面要求インタフェースによって当該専用モニタ画面の表示が要求された場合、当該専用モニタ画面データに基づいて当該専用モニタ画面を表示する
ことを特徴とする請求項８記載の機器管理装置。
【請求項１０】
前記プロファイル記憶部は、新たな対象機器のプロファイルを入力し、入力した新たな対象機器のプロファイルを記憶し、
前記専用画面データ記憶部は、新たな特定の対象機器の専用画面データを入力し、入力した専用画面データを新たな特定の対象機器を識別する識別子と対応付けて記憶する
ことを特徴とする請求項１から請求項９いずれかに記載の機器管理装置。
【請求項１１】
管理対象である複数の対象機器それぞれの出力値を表示するための汎用モニタ画面の汎用モニタ画面データを記憶する汎用モニタ画面データ記憶部と、
前記複数の対象機器のうち特定の対象機器の出力値を設定するための専用モニタ画面の専用モニタ画面データを記憶すると共に、前記専用モニタ画面データに対応付けて前記特定の対象機器の機器識別子を記憶する専用モニタ画面データ記憶部と、
前記複数の対象機器のいずれかの対象機器から出力される出力値と出力機器識別子とを取得する出力値取得部と、
前記汎用モニタ画面データに基づく前記汎用モニタ画面と当該専用モニタ画面データに基づく当該専用モニタ画面との少なくともいずれかの画面を表示する画面表示部とを備え、
前記画面表示部は、
前記出力値取得部によって取得された出力機器識別子と同じ機器識別子に対応付けられた専用モニタ画面データが前記専用モニタ画面データ記憶部に記憶されているか否かを判定し、
当該専用モニタ画面データが前記専用モニタ画面データ記憶部に記憶されている場合、前記汎用モニタ画面データに基づく前記汎用モニタ画面と当該専用モニタ画面データに基づく当該専用モニタ画面との少なくともいずれかの画面を表示すると共に表示した画面に前記出力値取得部によって取得された出力値を示し、
当該専用モニタ画面データが前記専用モニタ画面データ記憶部に記憶されていない場合、前記汎用モニタ画面データに基づく前記汎用モニタ画面を表示すると共に前記汎用モニタ画面に前記出力値取得部によって取得された出力値を示す
ことを特徴とする機器管理装置。
【請求項１２】
プロファイル記憶部と、汎用画面データ記憶部と、専用画面データ記憶部と、機器指定部と、画面表示部と、パラメータ設定部とを備える機器管理装置を用いる機器管理方法であって、
前記プロファイル記憶部は、管理対象である複数の対象機器の対象機器別に、当該対象機器のパラメータを識別するパラメータ識別子を含んだデータとしてプロファイルを、当該対象機器を識別する機器識別子と対応付けて記憶する記憶部であり、
前記汎用画面データ記憶部は、前記複数の対象機器に共通な汎用画面のデータであってパラメータに設定する設定値を指定するための汎用画面のデータとして汎用画面データを記憶する記憶部であり、
前記専用画面データ記憶部は、前記複数の対象機器のうち特定の対象機器のパラメータに設定する設定値を指定するための専用画面のデータとして専用画面データを、前記特定の対象機器を識別する機器識別子と対応付けて記憶する記憶部であり、
前記機器指定部が、前記複数の対象機器のうちいずれかの対象機器を識別する機器指定識別子が入力され、
前記画面表示部が、前記機器指定部に入力された機器指定識別子と同じ機器識別子に対応付けられた専用画面データが前記専用画面データ記憶部に記憶されているか否かを判定し、当該専用画面データが前記専用画面データ記憶部に記憶されている場合、前記汎用画面データに基づく前記汎用画面と当該専用画面データに基づく当該専用画面との少なくともいずれかの画面を表示し、当該専用画面データが前記専用画面データ記憶部に記憶されていない場合、前記汎用画面データに基づく前記汎用画面を表示し、
前記画面表示部が、前記専用画面でパラメータ識別子に対応付けて設定値が指定された場合、指定された前記設定値と前記設定値に対応付けられた前記パラメータ識別子とを対応付けて前記汎用画面を表示し、
前記パラメータ設定部が、前記汎用画面でパラメータ識別子に対応付けて指定される設定値と前記専用画面でパラメータ識別子に対応付けて指定される設定値とのいずれかの設定値を送信することによって、当該設定値を前記対象機器の当該パラメータに設定する
ことを特徴とする機器管理方法。
【請求項１３】
汎用モニタ画面データ記憶部と、専用モニタ画面データ記憶部と、出力値取得部と、画面表示部とを備える機器管理装置を用いる機器管理方法であって、
前記汎用モニタ画面データ記憶部は、管理対象である複数の対象機器それぞれの出力値を表示するための汎用モニタ画面の汎用モニタ画面データを記憶する記憶部であり、
前記専用モニタ画面データ記憶部は、前記複数の対象機器のうち特定の対象機器の出力値を設定するための専用モニタ画面の専用モニタ画面データを記憶すると共に、前記専用モニタ画面データに対応付けて前記特定の対象機器の機器識別子を記憶する記憶部であり、
前記出力値取得部が、前記複数の対象機器のいずれかの対象機器から出力される出力値と出力機器識別子とが取得し、
前記画面表示部が、
前記出力値取得部によって取得された出力機器識別子と同じ機器識別子に対応付けられた専用モニタ画面データが前記専用モニタ画面データ記憶部に記憶されているか否かを判定し、
当該専用モニタ画面データが前記専用モニタ画面データ記憶部に記憶されている場合、前記汎用モニタ画面データに基づく前記汎用モニタ画面と当該専用モニタ画面データに基づく当該専用モニタ画面との少なくともいずれかの画面を表示すると共に表示した画面に前記出力値取得部によって取得された出力値を示し、
当該専用モニタ画面データが前記専用モニタ画面データ記憶部に記憶されていない場合、前記汎用モニタ画面データに基づく前記汎用モニタ画面を表示すると共に前記汎用モニタ画面に前記出力値取得部によって取得された出力値を示す
ことを特徴とする機器管理方法。
【請求項１４】
請求項１２または請求項１３記載の機器管理方法をコンピュータに実行させるための機器管理プログラム。